(57)【要約】【課題】  画像と該複写牽制模様とを重畳する際の最終画像の見栄えをより良好にする。【解決手段】  １枚の画像に、図形の領域１２０、グラフの領域１１０及び文章の領域１０２を有する場合（（Ａ））、図形の領域１２０内には複製牽制模様を重畳せず、グラフの領域１１０や文章の領域１０２に複製牽制模様を重畳させる（（Ｂ））。【選択図】        図１５
2006246141.tif 000002
【特許請求の範囲】
【請求項１】
被印刷媒体に印刷する画像の画像データと予め定められた複製牽制模様の複製牽制模様画像データとに基いて、該画像データに基く画像と該複製牽制模様とが重畳するように印刷データを生成する印刷データ生成装置であって、
前記画像データに基いて形成される画像の種類を特定する特定手段と、
前記特定手段により特定された画像の種類に応じて前記複製牽制模様画像データを処理する処理手段と、
を備えた印刷データ生成装置。
【請求項２】
前記特定手段は、画像の種類に応じて前記画像を分割し、
前記処理手段は、前記分割された領域毎に、前記特定された画像の種類に応じて前記複製牽制模様画像データを処理する、
ことを特徴とする請求項１記載の印刷データ生成装置。
【請求項３】
前記処理手段は、前記特定された画像の種類が、前記画像データ基いて画像を形成するために前記被印刷媒体の印刷可能領域を利用する単位面積当たりの割合が所定値以上の画像の場合には、該画像が形成される領域に前記複製牽制模様が形成されないように処理することを特徴とする請求項１又は請求項２記載の印刷データ生成装置。
【請求項４】
前記処理手段は、前記特性された画像の種類が、前記画像データ基いて画像を形成するために前記被印刷媒体の印刷可能領域を利用する単位面積当たりの割合が所定値未満の画像の場合には、該画像の形成のために利用される該印刷可能領域内のみに前記複製牽制模様が形成されるように処理することを特徴とする請求項１又は請求項２記載の印刷データ生成装置。
【請求項５】
前記処理手段は、前記被印刷媒体の印刷可能領域を利用する単位面積当たりの割合が所定値未満の画像中に、前記被印刷媒体の印刷可能領域を利用する単位面積当たりの割合が所定値以上の画像が存在する場合には、少なくとも前記被印刷媒体の印刷可能領域を利用する単位面積当たりの割合が所定値以上の画像が形成される領域には、前記複製牽制模様が形成されないように処理することを特徴とする請求項４記載の印刷データ生成装置。
【請求項６】
被印刷媒体に印刷する画像の画像データと予め定められた複製牽制模様の複製牽制模様画像データとに基いて、該画像データに基く画像と該複製牽制模様とをそのまま重畳する際に、被印刷媒体に印刷される最終画像の見栄えに影響を及ぼす予め定められた障害があるか否かを判断する判断手段と、
前記判断手段により前記障害があると判断された場合には、障害の内容に応じて前記複製牽制模様の重畳状態が変更するように、前記複製牽制模様画像データを処理する処理手段と、
前記画像データと前記処理手段により処理された複製牽制模様画像データとを含む印刷データを生成する生成手段と、
を備えた印刷データ生成装置。
【請求項７】
前記障害は、前記被印刷媒体の印刷可能領域に余白を残して画像を形成する場合であり、
前記処理手段は、前記余白部分に前記複製牽制模様が形成されないように処理する、
ことを特徴とする請求項６記載の印刷データ生成装置。
【請求項８】
前記障害は、前記被印刷媒体の印刷可能領域全体に対する画像形成のために利用される領域の割合が所定値未満の場合であり、
前記処理手段は、前記被印刷媒体の印刷可能領域の画像形成のために連続して利用されない領域に前記複製牽制模様が形成されないように処理する、
ことを特徴とする請求項６又は請求項７記載の印刷データ生成装置。
【請求項９】
前記障害は、前記画像が形成される領域の所定方向の長さが前記複製牽制模様の所定方向の長さより短い場合であり、
前記処理手段は、前記複製牽制模様が前記画像が形成される領域内に収まるように処理する、
ことを特徴とする請求項６乃至請求項８の何れか１項に記載の印刷データ生成装置。
【請求項１０】
前記障害は、前記画像データ基いて画像を形成するために前記被印刷媒体の印刷可能領域を利用する単位面積当たりの割合が所定値以上の画像が存在する場合であり、
前記処理手段は、前記画像データ基いて画像を形成するために前記被印刷媒体の印刷可能領域を利用する単位面積当たりの割合が所定値以上の画像に前記複製牽制模様が重畳されないように処理する、
ことを特徴とする請求項６乃至請求項８の何れか１項に記載の印刷データ生成装置。
【請求項１１】
被印刷媒体に印刷する画像の画像データと予め定められた複製牽制模様の複製牽制模様画像データとに基いて、該画像データに基く画像と該複製牽制模様とが重畳するように印刷データを生成する印刷データ生成方法であって、
前記画像データに基いて形成される画像の種類を特定するステップと、
前記特定された画像の種類に応じて前記複製牽制模様画像データを処理するステップと、
を備えた印刷データ生成方法。
【請求項１２】
前記特定のステップでは、画像の種類に応じて前記画像を分割し、
前記処理のステップでは、前記分割された領域毎に、前記特定された画像の種類に応じて前記複製牽制模様画像データを処理する、
ことを特徴とする請求項１１記載の印刷データ生成方法。
【請求項１３】
前記処理のステップでは、前記特定された画像の種類が、前記画像データ基いて画像を形成するために前記被印刷媒体の印刷可能領域を利用する単位面積当たりの割合が所定値以上の画像の場合には、該画像が形成される領域に前記複製牽制模様が形成されないように処理することを特徴とする請求項１１又は請求項１２記載の印刷データ生成方法。
【請求項１４】
前記処理のステップでは、前記特性された画像の種類が、前記画像データ基いて画像を形成するために前記被印刷媒体の印刷可能領域を利用する単位面積当たりの割合が所定値未満の画像の場合には、該画像の形成のために利用される該印刷可能領域内のみに前記複製牽制模様が形成されるように処理することを特徴とする請求項１１又は請求項１２記載の印刷データ生成方法。
【請求項１５】
前記処理のステップでは、前記被印刷媒体の印刷可能領域を利用する単位面積当たりの割合が所定値未満の画像中に、前記被印刷媒体の印刷可能領域を利用する単位面積当たりの割合が所定値以上の画像が存在する場合には、少なくとも前記被印刷媒体の印刷可能領域を利用する単位面積当たりの割合が所定値以上の画像には、前記複製牽制模様が形成されないように処理することを特徴とする請求項１４記載の印刷データ生成方法。
【請求項１６】
被印刷媒体に印刷する画像の画像データと予め定められた複製牽制模様の複製牽制模様画像データとに基いて、該画像データに基く画像と該複製牽制模様とをそのまま重畳する際に、被印刷媒体に印刷される最終画像の見栄えに影響を及ぼす予め定められた障害があるか否かを判断するステップと、
前記障害があると判断された場合には、障害の内容に応じて前記複製牽制模様の重畳状態が変更するように、前記複製牽制模様画像データを処理するステップと、
前記画像データと前記処理された複製牽制模様画像データとを含む印刷データを生成するステップと、
を備えた印刷データ生成方法。
【請求項１７】
前記障害は、前記被印刷媒体の印刷可能領域に余白を残して画像を形成する場合であり、
前記処理のステップでは、前記余白部分に前記複製牽制模様が形成されないように処理する、
ことを特徴とする請求項１６記載の印刷データ生成方法。
【請求項１８】
前記障害は、前記被印刷媒体の印刷可能領域の画像形成のために利用される領域の割合が所定値未満の場合であり、
前記処理のステップでは、前記被印刷媒体の印刷可能領域全体に対する画像形成のために連続して利用されない領域に前記複製牽制模様が形成されないように処理する、
ことを特徴とする請求項１６又は請求項１７記載の印刷データ生成方法。
【請求項１９】
前記障害は、前記画像が形成される領域の所定方向の長さが前記複製牽制模様の所定方向の長さより短い場合であり、
前記処理のステップでは、前記複製牽制模様が前記画像が形成される領域内に収まるように処理する、
ことを特徴とする請求項１６乃至請求項１８の何れか１項に記載の印刷データ生成方法。
【請求項２０】
前記障害は、前記画像データ基いて画像を形成するために前記被印刷媒体の印刷可能領域を利用する単位面積当たりの割合が所定値以上の画像が存在する場合であり、
前記処理のステップでは、前記画像データ基いて画像を形成するために前記被印刷媒体の印刷可能領域を利用する単位面積当たりの割合が所定値以上の画像に前記複製牽制模様が重畳されないように処理する、
ことを特徴とする請求項１６乃至請求項１８の何れか１項に記載の印刷データ生成方法。
【請求項２１】
コンピュータに、以下の印刷データ生成処理を実行させる印刷データ生成プログラムであって、
前記印刷データ生成処理は、
被印刷媒体に印刷する画像の画像データと予め定められた複製牽制模様の複製牽制模様画像データとに基いて、該画像データに基く画像と該複製牽制模様とが重畳するように印刷データを生成する印刷データ生成プログラムであって、
前記画像データに基いて形成される画像の種類を特定するステップと、
前記特定された画像の種類に応じて前記複製牽制模様画像データを処理するステップと、
を備えた印刷データ生成プログラム。
【請求項２２】
前記特定のステップでは、画像の種類に応じて前記画像を分割し、
前記処理のステップでは、前記分割された領域毎に、前記特定された画像の種類に応じて前記複製牽制模様画像データを処理する、
ことを特徴とする請求項２１記載の印刷データ生成プログラム。
【請求項２３】
前記処理のステップでは、前記特定された画像の種類が、前記画像データ基いて画像を形成するために前記被印刷媒体の印刷可能領域を利用する単位面積当たりの割合が所定値以上の画像の場合には、該画像が形成される領域に前記複製牽制模様が形成されないように処理することを特徴とする請求項２１又は請求項２２記載の印刷データ生成プログラム。
【請求項２４】
前記処理のステップでは、前記特性された画像の種類が、前記画像データ基いて画像を形成するために前記被印刷媒体の印刷可能領域を利用する単位面積当たりの割合が所定値未満の画像の場合には、該画像の形成のために利用される該印刷可能領域内のみに前記複製牽制模様が形成されるように処理することを特徴とする請求項２１又は請求項２２記載の印刷データ生成プログラム。
【請求項２５】
前記処理のステップでは、前記被印刷媒体の印刷可能領域を利用する単位面積当たりの割合が所定値未満の画像中に、前記被印刷媒体の印刷可能領域を利用する単位面積当たりの割合が所定値以上の画像が存在する場合には、少なくとも前記被印刷媒体の印刷可能領域を利用する単位面積当たりの割合が所定値以上の画像には、前記複製牽制模様が形成されないように処理することを特徴とする請求項２４記載の印刷データ生成プログラム。
【請求項２６】
コンピュータに、以下の印刷データ生成処理を実行させる印刷データ生成プログラムであって、
前記印刷データ生成処理は、
被印刷媒体に印刷する画像の画像データと予め定められた複製牽制模様の複製牽制模様画像データとに基いて、該画像データに基く画像と該複製牽制模様とをそのまま重畳する際に、被印刷媒体に印刷される最終画像の見栄えに影響を及ぼす予め定められた障害があるか否かを判断するステップと、
前記障害があると判断された場合には、障害の内容に応じて前記複製牽制模様の重畳状態が変更するように、前記複製牽制模様画像データを処理するステップと、
前記画像データと前記処理された複製牽制模様画像データとを含む印刷データを生成するステップと、
を備えた印刷データ生成プログラム。
【請求項２７】
前記障害は、前記被印刷媒体の印刷可能領域に余白を残して画像を形成する場合であり、
前記処理のステップでは、前記余白部分に前記複製牽制模様が形成されないように処理する、
ことを特徴とする請求項２６記載の印刷データ生成プログラム。
【請求項２８】
前記障害は、前記被印刷媒体の印刷可能領域全体に対する画像形成のために連続して利用される領域の割合が所定値未満の場合であり、
前記処理のステップでは、前記被印刷媒体の印刷可能領域の画像形成のために利用されない領域に前記複製牽制模様が形成されないように処理する、
ことを特徴とする請求項２６又は請求項２７記載の印刷データ生成プログラム。
【請求項２９】
前記障害は、前記画像が形成される領域の所定方向の長さが前記複製牽制模様の所定方向の長さより短い場合であり、
前記処理のステップでは、前記複製牽制模様が前記画像が形成される領域内に収まるように処理する、
ことを特徴とする請求項２６乃至請求項２８の何れか１項に記載の印刷データ生成プログラム。
【請求項３０】
前記障害は、前記画像データ基いて画像を形成するために前記被印刷媒体の印刷可能領域を利用する単位面積当たりの割合が所定値以上の画像が存在する場合であり、
前記処理のステップでは、前記画像データ基いて画像を形成するために前記被印刷媒体の印刷可能領域を利用する単位面積当たりの割合が所定値以上の画像に前記複製牽制模様が重畳されないように処理する、
ことを特徴とする請求項２６乃至請求項２８の何れか１項に記載の印刷データ生成プログラム。
【発明の詳細な説明】
【技術分野】
【０００１】
本発明は、印刷データ生成装置、印刷データ生成方法、及び印刷データ生成プログラムにかかり、より詳細には、被印刷媒体に印刷する画像の画像データと予め定められた複写牽制模様の複写牽制模様画像データとに基いて、該画像データに基く画像と該複写牽制模様とが重畳するように印刷データを生成する印刷データ生成装置、印刷データ生成方法、及び印刷データ生成プログラムに関する。
【背景技術】
【０００２】
従来、複写牽制模様が予め印刷等されている用紙に画像を形成することも行われているが、これではオンデマンドで複写牽制模様を用紙に付すことができない。例えば、印刷した日時や、印刷した人名等を複写牽制模様として用紙に付したい等のユーザの要求に柔軟に対応することができない。
【０００３】
そこで、従来、オンデマンドで複写牽制模様を用紙に付すため、画像データと複写牽制模様画像データとの基づいて、画像と複写牽制模様画像とが重畳するように印刷データを作成することが提案されている（特許文献１参照）。
【特許文献１】特開２００１-１９７２９７号公報
【発明の開示】
【発明が解決しようとする課題】
【０００４】
ところで、画像に重畳させる複写牽制模様はあくまで画像より目立たないことが必要である。
【０００５】
しかしながら、上記方法では、画像の種類に無関係に複写牽制模様を重畳させている。例えば、図１９に示すように、図形や写真に複写牽制模様を重畳させたり、図２０に示すように、表に複写牽制模様を重畳させたりして、複写牽制模様が却って目立ったり、複写牽制模様をそのままでは重畳させられないにもかかわらず重畳させることになる。よって、複写牽制模様としての役割を発揮することができず、複写牽制模様とゆうよりはノイズとして認識され、最終画像の見栄えがわるい。
【０００６】
本発明は、上記事実に鑑み成されたもので、画像と該複写牽制模様とを重畳する際の最終画像の見栄えをより良好にすることの可能な印刷データ生成装置、印刷データ生成方法、及び印刷データ生成プログラムを提供することを目的とする。
【課題を解決するための手段】
【０００７】
上記目的を達成するために請求項１に記載の発明の印刷データ生成装置は、被印刷媒体に印刷する画像の画像データと予め定められた複写牽制模様の複写牽制模様画像データとに基いて、該画像データに基く画像と該複写牽制模様とが重畳するように印刷データを生成する印刷データ生成装置であって、前記画像データに基いて形成される画像の種類を特定する特定手段と、前記特定手段により特定された画像の種類に応じて前記複写牽制模様画像データを処理する処理手段と、を備えている。
【０００８】
即ち、本発明は、被印刷媒体に印刷する画像の画像データと予め定められた複写牽制模様の複写牽制模様画像データとに基いて、該画像データに基く画像と該複写牽制模様とが重畳するように印刷データを生成する印刷データ生成装置である。
【０００９】
特定手段は、前記画像データに基いて形成される画像の種類を特定し、処理手段は、前記特定手段により特定された画像の種類に応じて前記複写牽制模様画像データを処理する。
【００１０】
ここで、請求項２のように、特定手段が、画像の種類に応じて前記画像を分割した場合、処理手段は、前記分割された領域毎に、前記特定された画像の種類に応じて前記複写牽制模様画像データを処理する。
【００１１】
ところで、上記特定された画像の種類が、前記画像データ基いて画像を形成するために前記被印刷媒体の印刷可能領域を利用する単位面積当たりの割合が所定値以上の画像の場合、例えば、写真や図形等のいわゆる塗りつぶし画像の場合、そのまま、複写牽制画像を形成してしまうと、複写牽制画像が目立ってしまい。最終画像の見栄えが悪くなる。
【００１２】
そこで、請求項３のように、処理手段は、該画像が形成される領域に前記複写牽制模様が形成されないように処理する。
【００１３】
また、前記画像データ基いて画像を形成するために前記被印刷媒体の印刷可能領域を利用する単位面積当たりの割合が所定値未満の画像の場合には、このような画像と複写牽制模様とを重畳させても上記のような見栄えの問題は生じない。しかし、余白などの部分があり、ここに複写牽制模様を形成すると却って複写牽制模様が目立ってしまう。
【００１４】
そこで、請求項４のように、処理手段は、該画像の形成のために利用される該印刷可能領域内のみに前記複写牽制模様が形成されるように処理する。この場合、請求項５のように、前記処理手段は、前記被印刷媒体の印刷可能領域を利用する単位面積当たりの割合が所定値未満の画像中に、前記被印刷媒体の印刷可能領域を利用する単位面積当たりの割合が所定値以上の画像が存在する場合には、少なくとも前記被印刷媒体の印刷可能領域を利用する単位面積当たりの割合が所定値以上の画像には、前記複写牽制模様が形成されないように処理する。
【００１５】
このように、画像の種類に応じて複写牽制模様画像データを処理するので、被印刷媒体に形成された最終画像の見栄えをより良好に処理することができる。
【００１６】
請求項６記載の発明の印刷データ生成装置は、被印刷媒体に印刷する画像の画像データと予め定められた複写牽制模様の複写牽制模様画像データとに基いて、該画像データに基く画像と該複写牽制模様とをそのまま重畳する際に、被印刷媒体に印刷される最終画像の見栄えに影響を及ぼす予め定められた障害があるか否かを判断する判断手段と、前記判断手段により前記障害があると判断された場合には、障害の内容に応じて前記複写牽制模様の重畳状態が変更するように、前記複写牽制模様画像データを処理する処理手段と、前記画像データと前記処理手段により処理された複写牽制模様画像データとを含む印刷データを生成する生成手段と、を備えている。
【００１７】
即ち、判断手段は、被印刷媒体に印刷する画像の画像データと予め定められた複写牽制模様の複写牽制模様画像データとに基いて、該画像データに基く画像と該複写牽制模様とをそのまま重畳する際に、被印刷媒体に印刷される最終画像の見栄えに影響を及ぼす予め定められた障害があるか否かを判断する。
【００１８】
処理手段は、前記判断手段により前記障害があると判断された場合には、障害の内容に応じて前記複写牽制模様の重畳状態が変更するように、前記複写牽制模様画像データを処理する。
【００１９】
そして、生成手段は、前記画像データと前記処理手段により処理された複写牽制模様画像データとを含む印刷データを生成する。
【００２０】
このように、画像と該複写牽制模様とをそのまま重畳する際に、被印刷媒体に印刷される最終画像の見栄えに影響を及ぼす予め定められた障害がある場合、障害の内容に応じて前記複写牽制模様の重畳状態が変更するように、前記複写牽制模様画像データを処理して、印刷データを生成するので、最終画像の見栄えをより良好にすることができる。
【００２１】
ところで、障害がある場合の例として、前記被印刷媒体の印刷可能領域に余白を残して画像を形成する場合には、前記処理手段は、請求項７のように、前記余白部分に前記複写牽制模様が形成されないように処理する。
【００２２】
また、障害がある場合の例として、前記被印刷媒体の印刷可能領域の画像形成のために利用される領域の割合が所定値未満の場合には、請求項８のように、前記処理手段は、前記被印刷媒体の印刷可能領域全体に対する画像形成のために連続して利用されない領域に前記複写牽制模様が形成されないように処理する。
【００２３】
更に、障害がある場合の例として、前記画像が形成される領域の所定方向の長さが前記複写牽制模様の所定方向の長さより短い場合には、請求項９のように、前記処理手段は、前記複写牽制模様が前記画像が形成される領域内に収まるように処理する。
【００２４】
また、障害がある場合の例として、前記画像データ基いて画像を形成するために前記被印刷媒体の印刷可能領域を利用する単位面積当たりの割合が所定値以上の画像が存在する場合には、請求項１０のように、前記処理手段は、前記画像データ基いて画像を形成するために前記被印刷媒体の印刷可能領域を利用する単位面積当たりの割合が所定値以上の画像に前記複写牽制模様が重畳されないように処理する。
【００２５】
なお、請求項１１〜２０、請求項２１〜３０はそれぞれ、請求項１〜１０記載の発明の作用、効果と同様の作用、効果を奏するので、その説明を省略する。
【発明の効果】
【００２６】
以上説明したように本発明は、画像の種類に応じて複写牽制模様画像データを処理するので、最終画像の見栄えをより良好に処理することができる。
【００２７】
また、本発明は、画像と該複写牽制模様とをそのまま重畳する際に、被印刷媒体に印刷される最終画像の見栄えに影響を及ぼす予め定められた障害がある場合、障害の内容に応じて前記複写牽制模様の重畳状態が変更するように、前記複写牽制模様画像データを処理して、印刷データを生成するので、最終画像の見栄えをより良好にすることができる。
【発明を実施するための最良の形態】
【００２８】
以下、図面を参照して本発明の実施の形態の一例を詳細に説明する。
【００２９】
図１に示すように、プリンタ１０には、ネットワーク１１を介して、各々印刷データを生成する印刷データ生成装置としてのクライアント１２、１４、…が接続されている。
【００３０】
図２に示すように、クライアント１２（その他のクライアント１４…も同様）は、ＣＰＵ２２、後述する印刷データ生成プログラムを記憶したＲＯＭ２４、ＲＡＭ２６、表示装置２８、入力装置３０、上記ネットワーク１１に接続されたインターフェース（Ｉ／Ｆ）３２が、バス３４を介して相互に接続されて構成されている。
【００３１】
次に、本実施の形態の作用を説明する。
【００３２】
クライアント１２で、ユーザが文書等を作成し、所定の印刷の指示ボタンをＯＮすると、印刷データ生成プログラムが起動し、作成された文書データ（画像データ）と、複製牽制模様の複製牽制模様画像データとに基づいて、印刷データを作成する。その際、画像データに基づく画像と複製牽制模様とが重畳するように印刷データを生成する。画像と複製牽制模様とが重畳するために、画像データと複製牽制模様画像データとの合成処理を実行する。
【００３３】
図３には、この合成処理プログラムが示されている。
【００３４】
本プログラムがスタートすると、ステップ４２で、上記画像データに基づいて、１枚の画像を、各々画像の種類毎に領域分割する。
【００３５】
ステップ４４で、上記分割された領域各々を識別する変数Ｒを０に初期化し、ステップ４６で、変数Ｒを１インクリメントする。
【００３６】
ステップ４８で、変数Ｒにより、識別される領域Ｒに複製牽制模様を重畳する。ステップ５０で、複製牽制模様修正処理を実行する。
【００３７】
ステップ５２で、変数Ｒが、上記１枚の画像を画像の種類毎に分割して得られた領域の総数Ｒ0に等しいか否かを判断し、変数ＲがＲ0に等しくないと判断された場合には、未だ複製牽制模様を重畳等していない領域があるので、ステップ４６に戻り、以上の処理（ステップ４６〜５２）を実行する。
【００３８】
ステップ５２で、変数ＲがＲ０に等しいと判断された場合には、１枚の画像を画像の種類毎に分割された各領域について複製牽制模様を重畳下ので本プログラムを終了する。
【００３９】
なお、上記画像データが複数枚の画像の画像データを含む場合には、各画像について以上説明した処理（合成処理）を実行する。
【００４０】
次に、ステップ４８の処理を詳細に説明する。
【００４１】
図４に示すように、ステップ４８の処理は、ステップ６２で、領域Ｒが文章の画像か否かを判断する。文章の画像は、画像を形成するために前記被印刷媒体の印刷可能領域を利用する単位面積当たりの割合が所定値未満の画像の１つである。
【００４２】
図６（Ａ）に示すように、領域Ｒの画像が文章の画像であると判断された場合には、ステップ６６で、文章が存在する矩形の領域１０２を検出する。
【００４３】
例えば、文章の存在する矩形の領域は、図６（Ａ）に示すように、文章の画像部分がある領域を個別に検出するものではなく、文章の画像部分が連続している部分を全体的に検出する。例えば、行の途中で改行され、当該行の残りの部分には文章の画像部分が存在しない場合でも文書が存在する矩形の領域として検出する。また、所定行数分画像が形成されない部分が存在しても、前後に文章の画像部分が存在する場合には、文章が存在する矩形の領域として検出する。しかし、余白部分は、文章が存在する矩形の領域とは検出しない。即ち、余白がある場合には、画像と複製牽制模様とをそのまま重畳すると最終画像の見栄えに影響を及ぼす障害があると判断される。
【００４４】
ステップ６８で、文章の画像の形成のために利用される用紙の印刷可能領域内のみに複製形成模様が形成されるように、上記検出した矩形の領域１０２に複製牽制模様を図６（Ｂ）に示すように重畳する。
【００４５】
これにより、少なくとも用紙の余白部分には複製牽制模様が形成されることを防止することができ、余白に複製牽制模様が形成され、この形成された複製牽制模様が目立ってしまい、見栄えが悪くなることを防止することができる。
【００４６】
ところで、上記のように、所定行数分画像が形成されない部分が存在しても、前後に文章の画像部分が存在する場合には、文章が存在する矩形の領域として検出するが、文章の画像が、図７（Ａ）に示すように、用紙の印刷可能領域の例えば半分の領域１０４のみを利用する場合には、残りの領域１０６は何ら画像が形成されない。よって、何ら画像が形成されない領域１０６に複製牽制模様が形成されると、形成された複製牽制模様が目立ち、最終の画像の見栄えが悪くなる。この場合には、画像と複製牽制模様とをそのまま重畳すると最終画像の見栄えに影響を及ぼす障害があると判断される。
【００４７】
そこで、このように、文章の画像の形成のために用紙の印刷可能領域の利用する割合が所定値（半分等）未満の場合には、このような領域１０６は文章が存在する矩形の領域としては検出しないで、複製牽制模様を形成せず、上記検出された矩形の領域１０４にのみ複製牽制画像を重畳する。
【００４８】
上記ステップ６２で、画像が文章の画像でないと判断された場合には、ステップ６４で、図８（Ａ）に示すように、領域Ｒの画像が表の画像か否かを判断する。
【００４９】
ここで、表の画像も、画像を形成するために前記被印刷媒体の印刷可能領域を利用する単位面積当たりの割合が所定値未満の画像である。
【００５０】
領域Ｒの画像が表の画像であると判断された場合には、ステップ７０で、表が存在する領域１０８を検出する。
【００５１】
ステップ７２で、塗りつぶし画像の領域があるか否かを判断する。
【００５２】
塗りつぶし画像は、画像を形成するために用紙の印刷可能領域を利用する単位面積当たりの割合が所定値未満の画像である。なお、塗りつぶし画像は、網掛けの画像も含まれる。
【００５３】
塗りつぶし領域がないと判断された場合には、ステップ７６で、図８（Ｂ）に示すように、表が存在する領域１０８に複製牽制模様を重畳させる。
【００５４】
一方、表の画像に塗りつぶし領域があると判断された場合には、ステップ７４で、表が存在する領域で塗りつぶし領域以外の領域に複製牽制模様を重畳させる。
【００５５】
なお、本実施の形態では、表ばかりでなく、図８（Ａ）に示すように、領域Ｒの画像がグラフか否かを判断する。
【００５６】
グラフの画像も、画像を形成するために用紙の印刷可能領域を利用する単位面積当たりの割合が所定値未満の画像の１つである。
【００５７】
領域Ｒの画像がグラフであると判断された場合には、上記ステップ７０で、グラフが存在する領域１１０を検出し、ステップ７２で、塗りつぶし領域があるか否かを判断する。図９（Ａ）に示すように、塗りつぶし領域１１２がある場合には、ステップ７４に進み、表が存在する領域で塗りつぶし領域以外の領域に複製牽制模様を重畳する。
【００５８】
なお、従来では、表に塗りつぶし領域があっても複製牽制模様を重畳させるので、図２０に示すように、形成された複製牽制模様が目立って、最終の画像の見栄えが悪くなる。しかし、上記のように、本実施の形態では、表が存在する領域で、塗りつぶし領域以外の領域に複製牽制模様を重畳するので、形成された複製牽制模様が目立って見栄えが悪くなることを防止することができる。
【００５９】
なお、上記例（図９参照）では、グラフの領域に塗りつぶし領域がある場合を例にとり説明したが、本発明はこれに限定されるもにでなく、図１０（Ａ）に示すように、グラフの領域１１０に、写真（これも塗りつぶし画像）の領域１１４が存在し、それ以外の領域１１６は塗りつぶし領域ではない領域１１６が存在する場合には、図１０（Ｂ）に示すように、表の領域１１０内で、写真の領域１１４には複写牽制模様が形成されず、塗りつぶし領域ではない領域１１６に複製牽制模様を重畳させる。
【００６０】
ところで、上記ステップ６２及びステップ６４が否定判定されると、領域Ｒの画像は、図１１（Ａ）に示すように、図形や写真等である。この場合には、ステップ７８で、図形や写真等が存在する領域１２０以外の領域に複製牽制模様を重畳させる。
【００６１】
これにより、図形や写真に複製牽制模様が形成され、これが目立って見栄えが悪くなることを防止することができる。
【００６２】
以上説明した例（図６〜図１７）では、１枚の画像が１つの画像の種類の場合を説明したが、本発明はこれに限定されるものでなく、例えば、図１２（Ａ）に示すように、１枚の画像が、図形の領域１２０と表の領域１１０とを有する場合もある。このような場合には、上記のように各領域１１０、１２０各々毎に、画像の種類に応じた複製牽制模様画像データの処理を実行する。即ち、図１２（Ｂ）に示すように、図形の領域１２０には、複製牽制模様を重畳せず、表のグラフの領域１１０内にのみ複製牽制模様を重畳する。
【００６３】
また、図１３（Ａ）に示すように、１枚の画像に、例えば、グラフの領域１１０、及び文章の画像の領域１０２とを有する場合もある。
【００６４】
このような場合には、図１３（Ｂ）に示すように、グラフの領域１１０及び文章の領域１０２に複製牽制模様を重畳させる。
【００６５】
更に、図１４（Ａ）に示すように、１枚の画像に、図形の領域１２０と、文章の領域１０２とを有する場合には、図１４（Ｂ）に示すように、図形の領域１２０には複製牽制模様を重畳せず、文章の領域１０２内にのみ複製牽制模様を形成する。
【００６６】
また、図１５（Ａ）に示すように、１枚の画像に、図形の領域１２０、グラフの領域１１０及び文章の領域１０２を有する場合もある。このような場合には、図１５（Ｂ）に示すように、図形の領域１２０内には複製牽制模様を重畳せず、グラフの領域１１０や文章の領域１０２に複製牽制模様を重畳させる。
【００６７】
次に、図３のステップ５０を詳細に説明する。図５に示すように、ステップ５０は、ステップ８０で、単位複製牽制模様（例えば、「禁複写」）がそのまま重畳することができるか否かを判断する。即ち、領域Ｒの所定方向及び所定方向に直交する方向各々の長さが、単位複製牽制模様の所定方向及び所定方向と直交する方向の長さより短いか否かを判断する。
【００６８】
単位複製牽制模様がそのまま重畳することができないと判断された場合には、画像と複製牽制模様とをそのまま重畳すると最終画像の見栄えに影響を及ぼす障害があると判断され、ステップ８２で、後述するフラグＦが０か否かを判断し、フラグＦが０と判断された場合には、単位複製牽制模様を所定角度回転させ、ステップ８８で、このように所定角度回転させたことを示すフラグＦを位置にセットする。例えば、図１７（Ａ）に示す状態から、図１７（Ｂ）に示すように、単位複製牽制模様を回転させる。
【００６９】
その後、処理は、ステップ８０に戻り、再度、単位複製牽制模様がそのまま重畳可能か否かを判断する。上記のように所定角度回転させても、単位複製牽制模様がそのまま重畳することができないと判断された場合には、ステップ８２も否定判定され、ステップ８４で後述するフラグＧが０か否かを判断し、フラグＧが０の場合には、複製牽制模様のサイズを縮小し、サイズを縮小させたことを示すフラグＧを位置にセットする。例えば、図１６（Ｂ）に示す状態から、図１６（Ａ）に示すように、サイズを縮小する。
【００７０】
その後、処理はステップ８０に戻り、再度、単位複製牽制模様がそのまま重畳することができるか否かを判断する。そのまま重畳することができないと判断された場合には、ステップ８２に進むが、上記のように既に複製牽制模様を所定角度回転させ、更にサイズを縮小させてもなお、当該単位複製牽制模様がそのまま重畳できないと判断されたわけであるので、更に、回転やサイズの縮小をさせるため、ステップ９４で、フラグＦを０にセットし、ステップ９６で、フラグＧを０にセットする。
【００７１】
このように、単位複製牽制模様を所定角度回転させたりサイズを縮小させるので、この処理を継続することにより、複製牽制模様をそのまま重畳することができるようになる。
【００７２】
以上説明したように本実施の形態は、文章、表やグラフ、図形や写真等の画像の種類に応じて複写牽制模様画像データを処理するので、最終画像の見栄えをより良好に処理することができる。
【００７３】
また、前述した実施の形態では、画像と複写牽制模様とをそのまま重畳する際に、被印刷媒体に印刷される最終画像の見栄えに影響を及ぼす予め定められた障害がある場合、障害の内容に応じて前記複写牽制模様の重畳状態が変更するように、複写牽制模様画像データを処理して、印刷データを生成するので、最終画像の見栄えをより良好にすることができる。
【００７４】
以上説明した例は、複製牽制模様が文章または単語であるが、本発明はこれに限定されるものでなく、図１８に示すように、図形などでもよい。
【００７５】
また、１枚の用紙に印刷する画像を構成する文章、表、図形等の配置パターンは単なる例であり、他の種々のパターンに同様に適用することができる。
【００７６】
更に、図７（Ａ）を参照して示したように、用紙の印刷可能領域の例えば半分の領域１０４のみを利用し、残りの領域１０６は何ら画像が形成されない場合、当該領域１０６には一律に複製牽制模様を形成しないようにしているが、本発明はこれに限定されるものではなく、ユーザに問い合わせ、ユーザの問い合わせに応じて、複製牽制画像を形成したりしなかったりしてもよい。
【００７７】
また、単位複製牽制模様がそのまま重畳することができないと判断された場合、単位複製牽制模様を一律に、所定角度回転させたりサイズを縮小させているが、本発明はこれに限定されるものではなく、回転やサイズの縮小の少なくとも一方が禁止されている場合には、上記処理を実行せずに、そのまま重畳させたり、ユーザに問い合わせ、ユーザの回答に応じて、そのまま重畳させたり上記処理を実行するようにしてもよい。
【００７８】
なお、本実施の形態では複製牽制模様の重畳処理をクライアント１２にて行うよう構成した例を説明したが、たとえばプリンタ１０にて行うよう構成しても良い。
【図面の簡単な説明】
【００７９】
【図１】プリンタと複数のクラインとから成るネットワークシステムを示すブロック図である。
【図２】クライアントのブロック図である。
【図３】印刷データ生成プログラムの一部の合成処理プログラムを示すフローチャートである。
【図４】図３のステップ４８のフローチャートである。
【図５】図３のステップ５０のフローチャートである。
【図６】（Ａ）及び（Ｂ）は、１枚の画像が１つの種類の画像（文章の画像）の場合の複製牽制模様の重畳させる様子を示す図である。
【図７】文章の画像が１枚の印刷可能領域の半分を利用する場合の処理を説明する説明図である。
【図８】１枚の画像に、表の画像とグラフの画像を有する場合の処理を説明する説明図である。
【図９】１枚の画像に、表の画像及び塗りつぶしを背景に持つグラフの領域を有する場合の処理を説明する説明図である。
【図１０】１枚の画像に、表の画像と、背景の一部に写真を有するグラフの画像を有する場合の処理を説明する説明図である。
【図１１】１枚の画像に、１つの図形が形成される場合の処理を説明する説明図である。
【図１２】１枚の画像に、図形とグラフの領域を有する場合の処理を説明する説明図である。
【図１３】１枚の画像に、グラフと文章の領域を有する場合の処理を説明する説明図である。
【図１４】１枚の画像に、図形と文章の領域を有する場合の処理を説明する説明図である。
【図１５】１枚の画像に、グラフ、文章、及び図形の領域を有する場合の処理を説明する説明図である。
【図１６】複製牽制模様のサイズを変更する場合を説明する説明図である。
【図１７】複製牽制模様の配置位置を回転させた場合を示す図である。
【図１８】複製牽制模様として図形を用いた場合を説明する説明図である。
【図１９】従来の技術において、図形の領域に複製牽制模様を重畳させている様子を示す図である。
【図２０】背景が塗りつぶしのグラフの領域の当該塗りつぶしの領域に複製牽制模様を重畳させる例を示す図である。
【符号の説明】
【００８０】
１２    クライアント（印刷データ生成装置）
【図１】
2006246141.tif 000003
【図２】
2006246141.tif 000004
【図３】
2006246141.tif 000005
【図４】
2006246141.tif 000006
【図５】
2006246141.tif 000007
【図６】
2006246141.tif 000008
【図７】
2006246141.tif 000009
【図８】
2006246141.tif 000010
【図９】
2006246141.tif 000011
【図１０】
2006246141.tif 000012
【図１１】
2006246141.tif 000013
【図１２】
2006246141.tif 000014
【図１３】
2006246141.tif 000015
【図１４】
2006246141.tif 000016
【図１５】
2006246141.tif 000017
【図１６】
2006246141.tif 000018
【図１７】
2006246141.tif 000019
【図１８】
2006246141.tif 000020
【図１９】
2006246141.tif 000021
【図２０】
2006246141.tif 000022